(57)【特許請求の範囲】
【請求項１】
Ｘ線像影性をもった素材で作製された針本体を有し、該針本体の先端から全体にわたって目視およびＸ線像にて識別可能な目盛り部が設けられ、歯科用の紐を挿通するための孔を有していることを特徴とする歯科用測定針。
【請求項２】
複数本の歯科用測定針を同時に使用する場合において、各々の歯科用測定針に目視およびＸ線像にて識別可能とする識別部が設けられていることを特徴とする請求項１に記載の歯科用測定針。
【請求項３】
目視およびＸ線像にて識別可能な目盛り部は針本体の先端部より所定の寸法で目盛りが設けられていると共に、前記針本体の略中央部の目盛りは同時に測定の基準としても使用可能となるよう、目盛りの形状をその他の目盛りと区別したことを特徴とする請求項１または２に記載の歯科用測定針。
【請求項４】
口腔インプラント手術用の骨孔の深さ測定メジャーとして用いられる請求項１，２または３に記載の歯科用測定針。
【発明の詳細な説明】
【０００１】
【産業上の利用分野】
本発明は、口腔インプラント手術における深さ測定や歯内療法における根管長測定用メジャーとして用いられる歯科用測定針に関する。
【０００２】
【従来の技術】
口腔インプラント手術に際して、切削した骨溝や骨孔の深さを測定するためには以下の方法が用いられている。
【０００３】
ａ．目盛りを付けた細い棒状のメジャー１０１を前記切削した骨溝や骨孔へ挿入して、直接その深さを肉眼にて読み取って、カルテに記録する方法（図８（ａ）参照）。
【０００４】
ｂ．骨切削用ドリル１０２を骨溝や骨孔に挿入した状態でその深さをマークし、該骨切削用ドリル１０２を取り出し、口腔外の物差し１０３で測定してその長さを読み取り、カルテに記録する（図８（ｂ）参照）。
【０００５】
上記ａ．及びｂ．の方法はともにその深さを肉眼で読み取り、カルテに記録する方法を採用しているため、肉眼で読みとる際に、特にａ．においては口腔内においてメジャーを読むために読み誤りが発生し易い。
【０００６】
メジャーには通常５ｍｍ間隔で太い目盛りがあるが、読み取る際に５ｍｍ分を読み間違えて、１５ｍｍを２０ｍｍ，１８ｍｍを１３ｍｍなどと間違うことが時々発生する。
【０００７】
また、口腔インプラントは同時に２本以上植えることが普通に行われるため、読み取った長さの記録が、その数値を記録する助手が聞き誤ったり、記録順序や記録部位を誤り、記録結果が誤って記録される危険がある。
【０００８】
そして上記ａ．及びｂ．の方法はともに肉眼によって読み取っているため、その事実が客観的な記録として残らず、また実際に挿入された測定針の深さとその先に残されている深さとの比較ができないため、その後に引き続き掘り進める目安となる安全な深さを具体的に知ることができない。
【０００９】
そのため、口腔インプラント手術の際には、掘り進めた孔の深さとその後に引き続き掘り進める目安となる安全な深さを確認するために、
ｃ．骨ドリル１０２を骨溝や骨孔に挿入した状態で歯科用Ｘ線写真を撮影して、その深さを確認する（図８（ｃ）参照）。
という方法も採用されていた。
【００１０】
次に、歯内療法と呼ばれる歯牙の内部の歯髄を除去した後の治療において、歯牙の歯髄があった部分の歯髄腔や根管の長さを個々に正確に測定する必要があり、これを測定するためには以下のような方法が従来用いられている。
【００１１】
ｄ．かつて歯髄が入っていた歯根管内部を清掃するために用いられているファイル１０４（File）と呼ばれる金属製の棒状器具のファイリング部に取り付けた目印、以下メジャー・リング１０５（Measure Ring）を頼りとして、ファイルを歯根管に挿入した状態でＸ線写真撮影を行い、歯根管に挿入されたファイルの先端部からメジャー・リング１０５が取り付けられた部位までの長さを口腔外の物差しで術者が肉眼で測定する（図９（ａ）参照）。
【００１２】
ｅ．ファイルの根管入り口付近の金属部分に電極をクリップで取りつけて、微弱な電流を流して根管の電気抵抗値を測定して根管の深さを推定する方法が電気的根管長測定法として応用されている（図９（ｂ）参照）。
【００１３】
上記ｄ．，ｅ．の方法では、術者が読み上げた数値を助手がそばで聞き取りながら、カルテに筆記することによって記録するので、前記の口腔インプラント手術の際と同じように、その事実が客観的な記録として残らない。
【００１４】
【発明が解決しようとする課題】
しかしながら、上記した口腔インプラント手術に際して使用される前記ａ．，ｂ．の方法においては骨溝や骨孔の深さを数値として肉眼で読み取るだけであるために、具体的な記録が残らず後刻その深さを確認することができないので、その記録に疑いが生じた際には確認することができない。また、マークした測定針や骨切削用ドリルの長さを測定するためには口腔外に滅菌した測定用の物差しが必要になる。さらに、インプラントを植立する部位の歯肉軟組織の厚さは、インプラントの予後の管理のためには重要な要素であるが、前記ａ．，ｂ．の測定方法では、その厚さを具体的に読み取ることも記録することもまったくできない。
また、ｃ．のＸ線写真を利用して骨溝や骨孔の深さを確認する方法は、骨ドリルをそれぞれの孔に挿入する必要があり、高価な予備の骨ドリルが孔の数だけ必要である。骨ドリルの表面は鋭利な凹凸を成しているため、挿入は困難で非常に注意深く行う必要があり、また骨ドリルは硬質の鋼でできているため、術者がＸ線フィルムを患者の口腔内に位置付けし、患者自身でフィルムを固定する際に素人の患者は強く押し過ぎて骨ドリルが側方圧で破折する危険もあり、また破折しなくても、曲がってその後の使用に役立たなくなることもある。
【００１５】
Ｘ線撮影後に取り外す際には挿入時以上に抜き取ることが困難であり、特に細い骨ドリルは抜き取り時に破折し易く、もし破損した場合にはその破折片の除去は普通にはできないという不便と大きな危険性がある。
【００１６】
また、骨ドリルによる測定では、時間がかかり、そのために出血が多くなったり麻酔が切れたり、時には汚染による感染の危険も絶えずある。
【００１７】
そして、せっかくＸ線写真を写しても、Ｘ線写真フィルムには骨ドリルの外形が組織と共に撮影されているのみでありその結果、すでに掘った骨孔の深さやこれから掘り進めようとするその先に残る骨の深さや、インプラントを植立する部位の歯肉軟組織の厚さを客観的な長さとして読み取ることができない。
【００１８】
また、インプラント手術で骨溝や骨孔を形成する過程においては、その深さを何度も確認しながら掘り進める作業となり、上記したａ．，ｂ．及びｃ．の確認方法では、時間がかかり、作業性も悪い。
【００１９】
一方、歯内療法においては多くの場合、同時に２本以上の歯根の長さを測定することは普通であるため、例えば臼歯では通常２〜４本の根管が１歯にあるため、その狭い入り口に２〜４本のファイルとそれに付けられたメジャー・リング１０５は相互に重なり合い、操作は困難である。
【００２０】
前記のｄ．の方法におけるＸ線写真を撮影して測定する方法においては、歯根先端部付近に位置するファイルの先端をＸ線写真フィルムで確認し、ファイル手元のファイリング部に取り付けられたメジャー・リングを頼りに口腔外の物差しで長さを測定しているため、Ｘ線写真だけでは長さを知ることはできず、後日その長さを確認することができないという欠点がある。
【００２１】
また、歯根管に挿入したファイルの長さの測定はファイルを根管毎に引き抜いて測定しながら、先端からメジャー・リングまでの長さを読み取り、その測定値を助手に記録させるが、時として助手は部位を聞き間違えたり、記録部位を記録間違えたり、あるいは術者が目盛りを読み誤ることがある。
【００２２】
そして、測定中に患者の口腔内では残された１〜３本のファイルは動揺したり、時に脱落して患者が誤って食道に飲み込んだり、気管内に吸い込む危険があり、このような歯内療法は危険な治療として歯科医師と患者は常にストレスを感じている。その結果、円滑・迅速な歯内療法処置が妨げられ、良い治療成績を上げる上で支障となっている。
【００２３】
ｅ．の方法は電気的根管長測定法として応用されているが、これは個々の根管の形態や乾燥状態や歯根周辺の炎症状態による影響を受けるため、大まかな目安として使用されるに留っている。
【００２４】
以上はいずれの方法も、必ず口腔外の物差しや電流計によって測定しなければならないという煩わしい操作を余儀なくされ、それには測定・記録に人手と時間と注意力を必要とする。
【００２５】
本発明は上記従来技術の問題点を解決するためになされたもので、その目的とするところは、目視およびＸ線写真により、骨孔の深さ、並びに、骨孔と周囲組織（例えば、上顎洞底、隣在歯の歯根、インプラント相互、歯肉軟組織、歯槽骨、下歯槽管やオトガイ孔など）との位置関係を正確に測定・記録することができるとともに、利便性と安全性を兼ね備えた歯科用測定針を提供することにある。
【００２６】
【課題を解決するための手段】
上記の目的を達成するために本発明にあっては、Ｘ線像影性をもった素材で作製された針本体を有し、該針本体の先端から全体にわたって目視およびＸ線像にて識別可能な目盛り部が設けられ、歯科用の紐を挿通するための孔を有していることを特徴とする。
【００２７】
また、複数本の歯科用測定針を同時に使用する場合において、各々の歯科用測定針に目視およびＸ線像にて識別可能とする識別部を設けることも効果的である。
【００２８】
さらに、Ｘ線像にて識別可能な目盛り部は針本体の先端部より所定の寸法で目盛りが設けられていると共に、前記針本体の略中央部の目盛りは同時に測定の基準としても使用可能となるよう、目盛りの形状をその他の目盛りと区別することも可能である。
【００２９】
口腔インプラント手術用の骨孔の深さ測定メジャーまたは歯内療法用の根管長測定用メジャーとして用いることも好適である。
【００３０】
【作用】
上記のように構成された本発明にあっては、Ｘ線像影性をもった素材で作製された針本体を有し、該針本体には目視およびＸ線像にて識別可能な目盛り部が設けられていることで処置の対象組織と共に該歯科用測定針の目盛りをＸ線写真フィルムに撮影し、記録することが可能となる。
【００３１】
また、複数本の歯科用測定針を同時に使用する場合において、各々の歯科用測定針に目視およびＸ線像にて識別可能とする識別部を設けることでＸ線照射方向に重なって使用しても、前後の識別が可能となる。
【００３２】
さらに、目視およびＸ線像にて識別可能な目盛り部は針本体の先端部より所定の寸法で目盛りが設けられていると共に、前記針本体の略中央部の目盛りは同時に測定の基準としても使用可能となるよう、目盛りの形状をその他の目盛りと区別することで目視にて行う対象組織と針本体に設けられた目盛りとの比較測定が容易に行える。
【００３３】
口腔インプラント手術用の骨孔の深さ測定メジャーまたは歯内療法用の根管長測定用メジャーとして用いることもできる。
【００３４】
【実施例】
（第１実施例）
以下に本発明を図示の実施例に基づいて説明する。本発明の第１実施例に係る口腔インプラント手術における深さ測定に用いられる歯科用測定針を示す第１図において、第１図（ａ）は外観斜視図、第１図（ｂ）は軸方向断面図である。
【００３５】
第１図（ｂ）において、１はＸ線像影性をもった素材、例えばステンレスやチタン等で作製された針本体で、口腔インプラント手術に際して、切削した骨溝や骨孔の形状に合わせて、先端部に向けて細くなるテーパ形状か、または形成した骨溝や骨孔の径よりも細いストレート形状をしている。２（複数）は目視およびＸ線像にて識別可能な目盛り部としての細い目盛り溝であり針本体の先端部６より所定の寸法Ｓ１で等間隔に設けられている。３は目視およびＸ線像にて識別可能な目盛り部としての太い目盛り溝であり、針本体１の略中央部にあり、測定の基準として使用可能となるように、目盛りの形状をその他の細い目盛り２（複数）と区別されており、本実施例においては、測定者が一目瞭然に区別できるように約２倍の太さで設けられているが、その他の形状、例えば細い２本線としてもよい。４は複数本の歯科用測定針を同時に使用する場合においての識別部としての識別マーク溝であり、この第１図（ｂ）においては３本設けられているが、識別を行うために、識別マーク溝４がないもの、１本のもの、２本のもの、とそれぞれの歯科用測定針に違えて設けることにより識別可能としている。この識別マーク溝４も前記の細い目盛り２及び太い目盛り３と同様に目視とＸ線像にて識別可能としている。本実施例では識別マーク溝４は針本体１の上部に設けられているが、ヘッド部５に設けることも可能である。  ５はヘッド部で、術者が口腔インプラント手術に際して、切削した骨溝や骨孔に歯科用測定針を挿入する際に把持しやすい形状、例えば球形をしており、安全のために紐や鎖を通せる孔が設けられている。６は針本体１の先端部で、挿入に支障のないように丸みを持っている。
【００３６】
７，８および９は、細い目盛り溝２，太い目盛り溝３および識別マーク溝４の溝にもうけられた着色帯で、細い目盛り着色帯，太い目盛り着色帯および識別マーク着色帯である。それぞれの着色帯は目盛り溝２，３や識別マーク溝４のＸ線像影性を損なわない材料により作製されており、また目視にて針本体１の色と区別された鮮明さを有している。色は国際規格ＩＳＯに則った歯科用測定針の太さや長さに従って決めてもよい。また、細い目盛り着色帯７の色と太い目盛り着色帯８の色を区別することも可能であり、例えば太い目盛り着色帯８の色はどの種類（太さ）の歯科用測定針でも統一して黒とすることもできる。
【００３７】
以上のように構成された歯科用測定針は口腔インプラント手術において次のように使用される。
【００３８】
まず口腔インプラントを１本、あるいは同時に２本以上植え込む際には、最初の細いドリルで孔を掘り進む途中で孔の形成を中止し、その孔にスムースに挿入できる程度の太さの上記した歯科用測定針を孔の数だけ挿入した状態でＸ線写真を撮影する。  図２は歯科用測定針１０を形成した孔１１に挿入してＸ線写真を撮影している状況の組織断面図である。図２において、１２は歯槽骨、１３は歯肉軟組織、１４はＸ線フィルム、１５はＸ線フィルム１４を裏打ちするプラスチック板、１６は患者の拇指、Ｆはフロス・シルクであり、Ｘ線フィルム１４とプラスチック板１５を口腔内に固定してＸ線カメラ１７にてＸ線写真を撮影する。
一度に複数本の歯科用測定針を挿入することも可能であり、その場合には、ヘッド部５５には歯科用に用いられている紐、例えばフロス・シルクや鎖を挿通し、抜き取る際にそれを片手に持ってもう一方の手で振動させると数本の歯科用測定針を安全に一挙に抜き取ることができ、さらに過って落下した際にも紐や鎖があると安全にかつ迅速に取り除くことができる。当然、１本の場合においてもこの方法は採用される。
【００３９】
このとき、口腔内は狭く曲線的に構成されているため、所定の規格の歯科用標準型Ｘ線写真フィルムは通常の撮影方法、口腔内に術者がＸ線写真フィルムを位置付けし患者の手指で撮影時に固定する方法では曲がりを生じて変形するため、希望する歯根先端部のＸ線像は歪みが生じて正確な寸法を測定することはきわめて困難で不安定になる。
【００４０】
そこで、とくに正確な孔の深さ測定が必要となる口腔インプラント手術の場合には、本発明者はＸ線フィルム１４の裏面にＸ線フィルム１４とほぼ同じ大きさのプラスティック板１５などを両面接着テープなどで裏打ちして手指による圧迫固定でＸ線フィルム１４が歪まないように工夫している。
【００４１】
図３は撮影されたＸ線写真であり、このＸ線写真フィルム１４’には、孔の前後的な立ち上がり位置と残存歯牙などとの相対的位置関係（１８）、孔の方向（１９）、孔の直径（２０）、歯肉軟組織の厚さ（２１）、骨に掘られた孔の深さ（２２）、孔の先に残る骨の深さの予測（２３）などが、複数の孔毎に明確な記録として、肉眼による不確かな読み取り操作や筆記による記録誤りを介在させる危険性のない状態で記録される。また、歯肉軟組織の表面３４、歯槽骨の表面３５、下歯槽管３７も同時に撮影されて重要な情報として記録される。
【００４２】
図３の説明において使用した符号はあくまでも一例にすぎず、符号の部位のみを測定したり確認したりするものではなく、実際にはさらに詳細にその他の部位を調べる必要がある。
【００４３】
骨に掘られた孔の深さ（２２），孔の先に残る骨の深さの予測（２３）や歯肉軟組織の厚さ（２１）は，Ｘ線フィルム上に撮影された本発明の歯科用測定針に設けられた細い目盛り溝２や太い目盛り溝３と対比することでその寸法を明確に知ることができる。
【００４４】
次に、この撮影されたＸ線フィルム１４’に記録された上記した情報を基にして、最初の細い骨ドリルで形成した孔が正確に掘られているのか確認し、次の順次太い骨ドリルの作業へと進む。
【００４５】
細い骨ドリルで形成した孔の上記した情報は撮影されたＸ線フィルム１４’に記録されているが、これを確認するために本発明の歯科用測定針を再度挿入することで、目視にて骨に掘られた孔の深さを確認することもできる。また、さらに掘り進んだ状況での確認も次のように本発明の歯科用測定針を用いることで適切に行える。図４（ａ）は奥歯の、図４（ｂ）は前歯の口腔インプラント手術において目視にて骨に掘られた孔の深さを確認する方法の一例である。この例においては、従来の方法と異なり歯肉軟組織の切開と剥離を行わない新しい術式を用いており、一切の剥離を行うことなく骨孔掘削を行っている。術者は歯科用測定針１０を掘られた孔１１の底に到達するまで挿入する。すると、歯科用測定針１０に設けられた細い目盛り着色帯７や太い目盛り着色帯８を歯肉表面３３，３４やその他の組織を基準として読み取ることができ、孔１１に挿入した歯科用測定針１０が歯槽骨の中にどれだけ入っているのかを比較測定することが可能となる。図４（ａ），（ｂ）においては歯肉軟組織３３，３４の表面からちょうど、太い目盛り着色帯８が肉眼で直接確認できる位置にあり、その位置関係における寸法３１，３２を測定することにより、例えば図４（ｂ）では太い目盛り着色帯８の中心位置が歯科用測定針１０の先端より２４ｍｍであり、その他の細い目盛り着色帯７が４ｍｍ間隔で設けられている場合には、歯肉軟組織３４の表面を基準にしてそこから孔１１の底までの寸法３６は２４−４＝２０ｍｍとなり、さらに歯肉軟組織３４の表面から歯槽骨の最突出部３５までの寸法、すなわち歯肉軟組織３４の厚さはＸ線フィルムで確認されており、例えば２ｍｍだとすると、２０−２＝１８ｍｍが掘られた孔１１の深さとして確認することができる。
【００４６】
また、歯肉軟組織３４の切開と剥離を伴う通常の口腔インプラント手術においては、測定基準位置を歯槽骨の最突出部３５としてもよい。
【００４７】
以上のように本発明を適用した歯科用測定針を使用することで、Ｘ線フィルム上に肉眼による不確かな読み取り操作や筆記による記録誤りを介在させる危険性のない状態で上記されたさまざまな情報が正確に記録されるため、後日誰が見ても正確な読み取りができ、さらには従来の方法による不便や危険等の問題点はすべて同時に解決した。
【００４８】
すなわち、Ｘ線写真にすべての情報が記録されているため、それを見るだけで自動的に正確な深さや長さが何時でも読み取ることができる。その結果、一々カルテに記録する人手や時間が不要になり、それに伴う誤りも完全に省くことができ、また、口腔外の物差しでの測定も不要になり感染の危険性も少なくなる。そして、骨ドリルと異なり、外形は非常に滑らかになっており挿抜も容易になり、折れることもなくなる。
【００４９】
また、安全・迅速で手術時間の短縮が計られることで患者の苦痛は軽減され、より良い治癒成果を得ることが可能になり、ひいては手術作業としての労働生産性を高めることが可能となる。
（第２実施例）
本発明の第２実施例に係る歯内療法における根管長測定用メジャーとして用いられる歯科用測定針５０を第５図に示す。第５図（ａ）は外観斜視図、第５図（ｂ）は針本体５１の要部拡大断面図である。
【００５０】
図５（ｂ）において、５１はＸ線像影性をもった素材、例えばステンレスやチタン等で作製された針本体で、歯内療法に際して、除去した歯髄の孔の形状に合わせて、ファイルと同じ太さの先端部に向けて細くなるテーパー形状か、または根管孔径よりも細いストレート形状をしている。５２（複数）は目視およびＸ線像にて識別可能な目盛り部としての細い目盛り溝であり針本体の先端部５６より所定の寸法Ｓ２で等間隔に設けられている。例えば本実施例ではその表面に３mm前後の長さ毎に細い目盛り溝を設けている。５３は目視およびＸ線像にて識別可能な目盛り部としての太い目盛り溝であり、針本体１の略中央部にあり、測定の基準として使用可能となるように、目盛りの形状をその他の細い目盛り５２（複数）と区別されており、本実施例においては、測定者が一目瞭然に区別できるように約２倍の太さで設けられているが、その他の形状、例えば細い２本線としてもよい。５４は複数本の歯科用測定針を同時に使用する場合においての識別部としての識別マーク溝であり、この第５図（ｂ）においては３本設けられているが、識別を行うために、識別マーク溝５４がないもの、１本のもの、２本のもの、とそれぞれの歯科用測定針に違えて設けることにより識別可能としている。この識別マーク溝５４も前記の細い目盛り５２及び太い目盛り５３と同様に目視とＸ線像にて識別可能としている。また、この識別マーク溝５４をヘッド部５５に設けることも可能である。
【００５１】
５５はヘッド部で、術者が歯内療法に際して、除去した根管の孔に歯科用測定針を挿入する際に把持しやすい形状をしており、安全のために紐や鎖を通せる孔が設けられている。５６は針本体５１の先端部で、挿入に支障のない形状に加工されている。
【００５２】
５７，５８および５９は、細い目盛り溝５２，太い目盛り溝５３および識別マーク溝５４の溝にもうけられた着色帯で、細い目盛り着色帯，太い目盛り着色帯および識別マーク着色帯である。それぞれの着色帯は目盛り溝５２，５３や識別マーク溝５４のＸ線像影性を損なわない材料により作製されており、また目視にて針本体５１の色と区別された鮮明さを有している。色は国際規格ＩＳＯに則った歯科用測定針の太さや長さに従って決めてもよい。現在、国際的な統一規格のＩＳＯ規格が歯科用医療器具にも適用されていて、例えば歯内療法のリーマー（Reamer）やファイル(File)では、先端部の直径が８ミクロンのものは灰色、１０ミクロンのものは紫色、１５ミクロンのものは白色、２０ミクロンは黄色、２５ミクロンは赤色、３０ミクロンは青色、３５ミクロンは緑色などと、カラーコードが定まっており、この色に準じて決めることも可能である。
【００５３】
また、細い目盛り着色帯５７の色と太い目盛り着色帯５８の色を区別することも可能であり、また、例えば太い目盛り着色帯８の色はどの種類（太さ）の歯内療法用の歯科用測定針でも統一して茶色とすることもできる。
【００５４】
以上のように構成された歯科用測定針５０は歯内療法において次のように使用される。
【００５５】
先のインプラント用メジャーで指摘したのと同じ理由で、正確な長さの測定には必ず歯科用Ｘ線写真撮影によってその長さを測定しているのは、まったく同じであり、図６に示すように上記した歯科用測定針５０，５０’を測定具として各々の歯根管に挿入した状態でＸ線写真撮影を行う。Ｘ線写真撮影の方法は第１実施例において説明した図２に示される方法を用いることができるのでその説明を省略する。
【００５６】
図７は撮影されたＸ線写真であり、このＸ線写真フィルム６４’には、各々の歯根管の長さ７２，７３が細い目盛り５２，太い目盛り５３と共に記録されて残り、複数の歯根管毎に明確な記録として、肉眼による不確かな読み取り操作や筆記による記録誤りを介在させる危険性のない状態で記録される。
【００５７】
その結果歯科用測定針が到達した根管内の深さ・長さと拡大清掃処置を必要とする根管の全長との比較が一目で可能なため、必要な根管の全長が容易に推定できる。
【００５８】
図７の説明において使用した符号はあくまでも一例にすぎず、符号の部位のみを測定したり確認したりするものではなく、実際にはさらに詳細にその他の部位を調べる必要がある。
【００５９】
また、Ｘ線撮影の有無にかかわらず、術者の肉眼で歯根管入り口部の測定具の目盛りを読めば即座に長さが分かるため、口腔外のメジャーで長さを測定する操作を省くことができ、人手と時間がかからず、感染の安全性の向上と、治療行為の迅速化に画期的な効果を及ぼす。
【００６０】
１歯で２〜４本の根管のある臼歯部では、嵩ばるメジャー・リングがないため、Ｘ線写真撮影の準備を行う操作時にメジャー・リングがずれたり、相互に引っ掛かったりして操作に時間がかかる必要もなく、一度に複数本の歯科用測定針を迅速に挿入したり除去することも可能であり、ファイルのように口腔内に落ちて患者が誤って飲み込んだり、気管や肺に吸い込んで危険な目に合うことを大幅に避けることができます。
【００６１】
すなわち、ヘッド部５５には歯科用に用いられている紐、例えばフロス・シルクや鎖を挿通することができ、抜き取る際にそれを片手に持ってもう一方の手で振動させると数本の歯科用測定針を安全に一挙に抜き取ることができ、さらに過って落下した際にも紐や鎖があると安全にかつ迅速に取り除くことができる。
【００６２】
【発明の効果】
以上のような構成及び作用を有する本発明の歯科用測定針においては、Ｘ線像影性をもった素材で作製された針本体を有し、該針本体の先端から全体にわたって目視およびＸ線像にて識別可能な目盛り部が設けられていることで処置の対象組織と共に該歯科用測定針の目盛りをＸ線写真フィルムに撮影することが可能となり、肉眼による不確かな読み取り操作や筆記による記録誤りを介在させる危険性のない状態でさまざまな情報が正確に記録され、また、後日誰が見ても正確な読み取りができる。よって、骨孔の深さ、並びに、骨孔と周囲組織（例えば、上顎洞底、隣在歯の歯根、インプラント相互、歯肉軟組織、歯槽骨、下歯槽管やオトガイ孔など）との位置関係を正確に測定・記録することができる。さらに、孔に歯科用の紐を挿通して使用すれば、抜き取りが容易であるとともに、万一の不意の落下に際しても安全を確保できる。
【００６３】
また、複数本の歯科用測定針を同時に使用する場合において、各々の歯科用測定針に目視およびＸ線像にて識別可能とする識別部を設けることでＸ線照射方向に重なって使用しても、前後の識別が可能となる。
【００６４】
さらに、目視およびＸ線像にて識別可能な目盛り部は針本体の先端部より所定の寸法で目盛りが設けられていると共に、前記針本体の略中央部の目盛りは同時に測定の基準としても使用可能となるよう、目盛りの形状をその他の目盛りと区別することで目視にて行う対象組織と針本体に設けられた目盛りとの比較測定が容易に行え、その結果歯科用測定針が到達した骨孔や根管内の深さ・長さと、さらに必要な残りの掘削寸法や根管の全長が容易に推定できる。
【００６５】
また、術者の肉眼で本発明の歯科用測定針の目盛りを読めば即座に挿入された長さが分かるため、口腔外のメジャーで長さを測定する操作を省くことができ、人手と時間がかからず、感染の安全性の向上と、治療行為の迅速化に画期的な効果を及ぼします。
【００６６】
口腔インプラント手術用の深さ測定メジャーまたは歯内療法用の根管長測定用メジャーとして用いることで前記の効果は最大限に活用すことができる。
【図面の簡単な説明】
【図１】図１は本発明を適用した口腔インプラント手術用の歯科用測定針を示す図。
【図２】図２は口腔インプラント手術用の歯科測定針のＸ線撮影においての使用状況。
【図３】図３は口腔インプラント手術においてのＸ線撮影フィルム。
【図４】図４は口腔インプラント手術においての目視確認方法の説明図である。
【図５】図５は歯内療法に使用される歯科用測定針。
【図６】図６は歯内療法に使用される歯科用測定針のＸ線撮影においての使用状況。
【図７】図７は歯内療法においてのＸ線撮影フィルム。
【図８】図８は従来の口腔インプラント手術における測定方法。
【図９】図９は従来の歯内療法における測定方法。
【符号の説明】
１，５１  針本体
２，５２  細い目盛り溝（目盛り部）
３，５３  太い目盛り溝（目盛り部）
４，５４  識別マーク溝（識別部）
５，５５  ヘッド部
６，５６  先端部
７，５７  細い目盛り着色帯（目盛り部）
８，５８  太い目盛り着色帯（目盛り部）
９，５９  識別マーク着色帯（識別部）
１０，５０  歯科用測定針
【図１】
0003664503.tif 000002
【図２】
0003664503.tif 000003
【図３】
0003664503.tif 000004
【図４】
0003664503.tif 000005
【図５】
0003664503.tif 000006
【図６】
0003664503.tif 000007
【図７】
0003664503.tif 000008
【図８】
0003664503.tif 000009
【図９】
0003664503.tif 000010